(57)【特許請求の範囲】
【請求項１】
体腔内に挿入される、先端に処置部を有した挿入部と、上記挿入部の手元側に設けられ、上記処置部を操作するための操作部とを具備した内視鏡用処置具において、
上記操作部は、
片手の親指以外の指を含み前記片手で握持する部分であって前記片手の親指以外の指を掛ける指当て部を有した握持部と、上記握持部の後側でかつ上記握持部における握持中心軸の延長線上に位置して設けられ、親指を掛ける第１の指掛け部とを有し、上記握持部と上記第１の指掛け部は、同じ手の指を同時に掛けない関係で、上記握持部と上記第１の指掛け部の一方を片手の指で使用する第１の操作体と、
上記握持部の前側に位置して上記第１の操作体に対して上記握持中心軸方向へスライド自在に設けられ、上記第１の指掛け部に片手の親指を掛けて使用するとき、その片手の他の指を掛ける第２の指掛け部を有した第２の操作体と、
上記第２の操作体に設けられ、上記握持中心軸を間として上記指当て部に対して反対側に位置して配置され、上記第２の指掛け部の位置より後方へ上記握持部に向けて張り出し、上記握持部を握る片手の親指を掛けて上記第２の操作体を上記握持中心軸方向へスライド操作する第３の指掛け部と、
を具備したことを特徴とする内視鏡用処置具。
【請求項２】
上記第２の操作体より後方に上記握持部に向けて張り出して設けられた上記第３の指掛け部には、この第３の指掛け部に掛ける手の親指の滑り止めを設けたことを特徴とする請求項１に記載の内視鏡用処置具。
【発明の詳細な説明】
【０００１】
【発明の属する技術分野】
本発明は、内視鏡の観察下で使用される高周波スネアや把持鉗子等の内視鏡用処置具に係り、例えばシース内に操作ワイヤを挿通し、シースに対して操作ワイヤを相対的に進退させることにより先端の処置部を操作するようにした内視鏡用処置具に関する。
【０００２】
【従来の技術】
この種、従来の内視鏡用処置具としてのバスケット型把持鉗子が特開平９−５３４号公報等において開示されている。このバスケット型把持鉗子は図１４で示す如く、シース１内に操作ワイヤを挿通し、手元操作部２での操作により、シース１に対して操作ワイヤを相対的に進退させてシース１の先端からバスケットワイヤ３を突没させるようになっている。手元操作部２は操作部本体４とこれに被嵌したスライダ５を有する。スライダ５には一対の指掛け用フランジ６が形成され、上記操作本体４の後端には指掛け用リング７が設けられている。
【０００３】
そして、バスケットワイヤ３を操作するにあたっては操作部材４の指掛け用リング７に親指を差し込んで指を掛けると共に、スライダ５の指掛け用フランジ６の部分を同じ手の人差し指と中指で挟み込んで保持しながらその手の親指で操作部本体４を前後方向へ移動させることによりシース２に対して相対的に操作ワイヤを進退させる。
【０００４】
一方、米国特許第５，４９６，３３０号明細書において提案される方式のものもある。この方式の操作部はシースに挿通した操作ワイヤを連結した操作部材にこれを手で握持する握持部を形成すると共に、操作部材には握持部の前方に位置してスライダを設け、スライダにシースを接続するようにしている。そして、片方の手で操作部材の握持部を握持しながら同じ手の親指をスライダに掛けてスライダを前後へ移動する操作を行うようにしたものである。
【０００５】
【発明が解決しようとする課題】
（従来技術の問題点）
前述した前者の方式のものでは操作部本体４の指掛け用リング７に親指を差し込んで指を掛けると共に他の指でスライダ５を把持する構造である。このように指掛け用リング７内に親指が通されることから一旦、操作部を持った後は指掛け用リング７に指が掛っているため、操作部を落とし難い。このため、安心して操作を行うことができる。
【０００６】
しかし、この方式のものでは指掛け用リング７とスライダ５の両方に指を引っ掛ける把持形式であるため、術者によってはその操作するときの操作感が明確に得られないとして不安を持つ人もいる。また、シース１の先端からバスケットワイヤ３を突没させる操作を行う際、シース１を動かすことなく、操作ワイヤの方を移動させることになるため、この操作ワイヤの先端に接続されたバスケットワイヤ３が退避移動しながら定位置にある結石を把持するという動作を行う。その結果、バスケットワイヤ３が結石から逃げるような動きであるため、結石の把持が難しくなる。
【０００７】
一方、後者の方式のものでは操作部本体に握持部を設けてこの握持部の部分を手で握持し、その同じ手の親指でスライダを前後へ移動する操作を行うため、その操作感が明確に得られ易い反面、バスケットワイヤを閉じるためにスライダを後方へ移動させる操作を行うため、その操作力を加え難いという操作上の欠点がある。また、手が滑って操作部を落とす不安感を術者に与える。
【０００８】
以上の如く、従来の内視鏡用処置具にあっては２つの操作方式のものが別々にあり、いずれも一長一短がある。また、いずれの操作方式のものが良いかは術者の好みもあり、いずれのものが良いとは言い切れるものではない。しかし、ある１つの手術の用途または術者毎に操作方式の異なる処置具をそれぞれ用意することは不経済であり、病院の備品管理も複雑になる。また、１つの手術の逐行中においてその状況に応じて操作方式を変更したいことも起こり得るが、従来の内視鏡用処置具にあってはそのいずれかの方式に限定されているため、その要望には答え得なかった。
【０００９】
（目的）
本発明は前述した課題に着目してなされたものであり、その目的とするところは、１つの器具でありながら、操作方式についての術者の好み、手術の状況に応じて適合する操作方式を自由に選択して処置することが可能で、操作性の良い内視鏡用処置具を提供することにある。
【００１０】
【課題を解決するための手段および作用】
本発明は、体腔内に挿入される、先端に処置部を有した挿入部と、上記挿入部の手元側に設けられ、上記処置部を操作するための操作部とを具備した内視鏡用処置具において、
上記操作部は、
片手の親指以外の指を含み前記片手で握持する部分であって前記片手の親指以外の指を掛ける指当て部を有した握持部と、上記握持部の後側でかつ上記握持部における握持中心軸の延長線上に位置して設けられ、親指を掛ける第１の指掛け部とを有し、上記握持部と上記第１の指掛け部は、同じ手の指を同時に掛けない関係で、上記握持部と上記第１の指掛け部の一方を片手の指で使用する第１の操作体と、
上記握持部の前側に位置して上記第１の操作体に対して上記握持中心軸方向へスライド自在に設けられ、上記第１の指掛け部に片手の親指を掛けて使用するとき、その片手の他の指を掛ける第２の指掛け部を有した第２の操作体と、
上記第２の操作体に設けられ、上記握持中心軸を間として上記指当て部に対して反対側に位置して配置され、上記第２の指掛け部の位置より後方へ上記握持部に向けて張り出し、上記握持部を握る片手の親指を掛けて上記第２の操作体を上記握持中心軸方向へスライド操作する第３の指掛け部と、
を具備したことを特徴とする内視鏡用処置具である。
【００１１】
【発明の実施の形態】
（第１の実施形態）
図１乃至図１０を参照して本発明の第１実施形態を説明する。第１実施形態の内視鏡用処置具は泌尿系内視鏡や膵胆系内視鏡と組み合わせて使用される結石回収用把持鉗子に係るものである。
【００１２】
図１はその把持鉗子１０の全体を概略的に示す図である。把持鉗子１０は可撓性シース１１を備えてなり、このシース１１は図示しない内視鏡のチャンネル内を通じて患者の体腔内に挿入される挿入部となる。シース１１はＦＥＰ、ＰＴＦＥまたはポリイミド等の材料によってチューブ状に形成されている。シース１１の基端側には操作部１２が設けられている。シース１１内には操作ワイヤ１３が挿通されている。操作ワイヤ１３の先端には処置部としてのバスケット部（把持部）１４が取着されている。バスケット部１４は複数の弾性ワイヤ１５からなり、シース１１の先端からその内部に引き込み自在に設けられている。各弾性ワイヤ１５は通常、弾性的に膨らむ収縮自在なバスケットを形成している。バスケット部１４は上記操作ワイヤ１３の押し引き操作によりシース１１の先端から突没させられ、シース１１内に引き込まれると、その引き込み部分から収縮して予め取り込んだ結石を把持するようになっている。
【００１３】
操作部１２は例えば第１の操作体としての操作部本体２１と、例えば第２の操作体としてのスライダ２２を備える。操作部本体２１は図２で示す如く、握持部材２３とガイド部材２４との組み合わせからなり、握持部材２３の前端部にはガイド部材２４の後端部２５を嵌め込む差し込み孔２６が形成されている。差し込み孔２６に差し込まれるガイド部材２４の後端部２５は後端側部分が前端側部分より細く途中に段差２７のある形状に形成されると共に、差し込み孔２６もそれに応じて途中に同じく段差２７のある形状に形成されている。
【００１４】
図３で示す如く、握持部材２３とガイド部材２４の嵌合部は段差２７の位置を境にして、これより後端側の各部分の断面形状は円形であるが、前端側の各部分の断面形状は左右部分を切り欠いて平面部２８を形成した異形のものである。そして、この異形部同志の嵌合により握持部材２３とガイド部材２４の軸回りの回転を阻止する回転阻止手段を構成する。また、握持部材２３の中間部位には左右に貫通する、肉抜きを兼ねた貫通窓３４が形成されている。
【００１５】
また、図４で示す如く、ガイド部材２４の後端部２５には複数の、スリット状の割り溝３１が形成されている。ここでは後述する貫通窓３４の上下幅の向きに合わせて上下２つ割りのものに形成されている。この２つ割りにした後端部２５は弾性的に縮径させ得るようになる。割り溝３１によって分けられた各片部３２の最後端には上下外側へ向けて突き出すラッチ爪３３が形成されている。
【００１６】
そして、握持部材２３とガイド部材２４を接続する場合にはラッチ爪３３を含むガイド部材２４の後端部２５を弾性的に縮径させることによりそのガイド部材２４の後端部２５を差し込み孔２６内に差し込み、上記各段差２７が突き当たる終端位置まで達すると、各ラッチ爪３３が貫通窓３４内で広がりその貫通窓３４の壁面に係着する。つまり、各段差２７の係合とラッチ爪３３の係合により握持部材２３とガイド部材２４の軸方向の移動が阻止されると共に、上記異形断面形状部同志の嵌合により両者の軸回りの回転が阻止されるようになっている。
【００１７】
操作部本体２１における握持部材２３の下面部は張り出し、この張出し部の稜線は波状に形成され、この部分によりその握持部材２３を握る手の指が当たり滑り止めを兼ねる凹凸部からなる指当て部３５を形成している。そして、この部分を含む握持部材２３の部分はその握持部材２３を手で握るための握持部３６を形成している。また、握持部材２３の後端部には操作する手を差し込むリング状の指掛け部３７が形成されている。
【００１８】
上記ガイド部材２４における前端部分は筒状に形成されたガイド部３８を構成し、このガイド部３８の部分には上記スライダ２２が前後方向へスライド自在に被嵌されている。上記スライダ２２にはガイド部３８の部分に被嵌するガイド孔４１が形成されている。ガイド孔４１の内面とガイド部３８の外周面も前述した異形な断面形状に形成されている（図３参照）。そして、これらの異形断面部同志の嵌合によって両者の軸回りの回転を阻止する回転阻止手段を構成している。
【００１９】
ガイド孔４１内にはそのガイド孔４１と同軸的な配置されるガイド筒４２が設けられている。このガイド筒４２はスライダ２２の本体部材とは別の部材によって構成され、その前端側部分がスライダ２２の本体部材に接続されている。また、上記スライダ２２の前端部中央には取付け孔４３が形成され、この取付け孔４３には上記シース１１の後端が固定的に接続されている。つまり、上記操作ワイヤ１３を通す上記シース１１の後端部外周にパイプ材４５を被嵌した状態で、そのシース１１とパイプ材４５の両方の後端部分を取付け孔４３内に差し込み、接着等により固定的に取着してある。パイプ材４５の突出先端部にはシース１１の根元部を覆う折止めチューブ４６が取着されている。
【００２０】
上記スライダ２２の先端部外周にはリブ４７が形成されている。スライダ２２の後端部外周には前後一対の指掛け用フランジ（指掛け部）４８，４９が一体的に形成されている。また、後ろ側の指掛け用フランジ４９の上端部には指掛け部５１がその指掛け用フランジ４９と一体に形成されている。この指掛け部５１は後方へ張り出して特に上記握持部３６に向かって延びるひさし部によって形成されている。その指掛け部５１の上面にはこれに当てる親指の腹が馴染むようにへこんだ凹部５２が形成されている。この凹部５２の表面には滑りを防止するためにローレット状の滑り止め５３が形成されている。
【００２１】
一方、操作部１２において、上記操作ワイヤ１３はパイプ材４５からガイド筒４２内を通り、操作部本体２１のガイド部材２４内を貫通して握持部材２３に導かれてその握持部材２３に取着固定されている。ガイド部材２４内を通る操作ワイヤ部分にはそのガイド部材２４に取着した補強用パイプ５４が被嵌している。操作ワイヤ１３はスライダ２２の部分をスライド自在に貫通して操作部本体２１の握持部材２３に導かれ、その握持部材２３にかしめや接着等により連結してある。
【００２２】
ところで、図３乃至図８において示される如く、上記操作部本体２１の握持部材２３は左右の厚さが上下の幅よりも薄く偏平に形成されている。また、貫通窓３４及び指掛け部３７の孔の向きは同じであり、いずれも薄い壁部面に直交する左右に突き抜ける向きで形成されている。握持部材２３にはこれをモールド成形する上で必要な肉抜き部５５が適宜形成されている。握持部材２３は両側面部が略平坦な形状で左右の幅が上下の幅よりも小さい偏平に形成されている。また、スライダ２２の指掛け用フランジ４８，４９の部分も左右の部分が切り落とされ、両側面部が略平坦な形状になっている。つまり、シース１１等の挿入部よりも大きくなる、操作部本体２１とスライダ２２を含む操作部１２が全体的に見て左右の幅が上下の幅よりも小さい偏平な形状に構成されている。
【００２３】
以下、上記把持鉗子１０の操作部１２の操作方法を説明する。この操作方式には次の２つの方式がある。第１の操作方式は図９で示すような把持形式の方法である。つまり、操作部本体２１のリング状の指掛け部３７内に手５６の親指を差し込んで掛け、その同じ手５６の他の指である、例えば人差し指と中指の間で前後一対の指掛け用フランジ４８，４９の間の部分を挟み込んで、指を掛ける。そして、親指で前後軸方向へスライダ２２をスライドさせることにより操作ワイヤ１３を押し引きし、シース１１の先端からバスケット部１４を突き出し、この内部に結石を取り込み、シース１１内にバスケット部１４を引き込んで収縮して取り込んだ結石を把持する。この操作方式はリング状の指掛け部３７に手５６の親指を差し込んで指を掛けることから一旦、操作部１２を持った後は指掛け用リング７に指が掛り、操作部を落とし難い。このため、安心して操作を行うことができる。
【００２４】
第２の操作方式は図１０で示すような方法である。つまり、操作部本体２１の握持部３６を片方の手５６で握り、その手５６の親指をスライダ２２の指掛け部５１に掛け、その手５６で操作部１２を把持する形式の方法である。そして、親指で前後軸方向へスライダ２２をスライドさせることにより操作ワイヤ１３を押し引きし、シース１１の先端からバスケット部１４を突き出し、この内部に結石を取り込み、シース１１内にバスケット部１４を引き込んで収縮して取り込んだ結石を把持する。この操作方式は操作部本体２１の握持部３６の部分を手５６で握り、その手の親指でスライダ２２を操作するため、その操作感が明確に得られ易い。
【００２５】
この把持鉗子１０によれば、術者の好みや手術の状況に応じて２つの操作方式のいずれかを選択することができる。また、スライダ２２の指掛け部５１が後ろ側の指掛け用フランジ４９より後ろ側に延びて位置させるようにしたので、その分、操作本体２１の握持部材２３を握持する手５６の親指でスライダ２２を操作するときの操作ストロークを大きくとれる。
【００２６】
また、把持鉗子１０の操作部１２は全体的に偏平な形状に形成されているため、これを台の上に置いたときの座りが良い。また、把持鉗子１０を滅菌パック（包装容器）に梱包するとき、嵩張らずコンパクトに収納することができる。
もっとも、操作部本体２１の握持部材２３やスライダ２２の指掛け用フランジ４８，４９は全周に丸くしても良いものである。
【００２７】
（第２の実施形態）
図１１を参照して本発明の第２実施形態に係る把持鉗子１０を説明する。この把持鉗子１０は前述した第１実施形態に係る把持鉗子１０のものと次の点で相違する。まず、操作部本体２１の握持部材２３は断面形状が丸い棒状に形成されている。また、操作部本体２１の後端に形成されるリング状の指掛け部３７の中心は握持部材２３の軸中心に対して下側に偏心位置して設けられている。このように指掛け部３７を、握持部３６に対して下側に偏位して設けたことによりこの指掛け部３６に親指を掛けての操作が容易になる。しかも、操作部本体２１とスライダ２２が相対的に回転できるようにした場合には、その操作部本体２１を回して操作ワイヤ１３を捻り、バスケット部１４を回動操作する操作がし易い。
【００２８】
前述した第１実施形態ではスライダ２２の指掛け用フランジ４８，４９の他の部位に指掛け部５１を設けたが、ここでは後ろ側のフランジ４９をその指掛け部５１として直接に利用するようにした構成である。後ろ側のフランジ４９の指当て部分には滑り止めを形成することが望ましい。
【００２９】
また、スライダ２２の指掛け用フランジ４８，４９は前述した第１実施形態におけるものと同様、偏平な形状でもよいが、丸い形状のものでもよい。
（第３の実施形態）
図１２を参照して、本発明の第３実施形態に係る把持鉗子１０を説明する。この把持鉗子１０は前述した第１実施形態に係る把持鉗子１０のものと次の点で相違する。
【００３０】
操作部本体２１のガイド部材２４にはスライダ２２が被嵌してスライド自在に装着されるが、この場合、ガイド部材２４には軸方向に沿うガイド用スリット６１を形成する。そして、スライダ２２にはそのガイド用スリット６１内に嵌め込む部分６２を形成してある。スライダ２２の上記部分６２には操作ワイヤ１３の後端部を差し込む装着孔６３を設け、この装着孔６３内に操作ワイヤ１３の後端部を差し込んで固定ねじ６４で締め付け固定する。一方、操作部本体２１のガイド部材２４はスライダ２２よりも前方に延長し、この延長先端部に前記同様にしてシース１１の基端部分を接続するようにした。
【００３１】
この実施形態では操作ワイヤ１３を操作部本体２１ではなく、スライダ２２の方に接続する一方、シース１１を操作部本体２１に接続するようにしたものである。この場合にも前記第１実施形態の場合と同様、シース１１と操作ワイヤ１３を相対的に移動操作することができる。その他は前述した第１実施形態に係る把持鉗子１０のものと同様である。
【００３２】
（第４の実施形態）
前述した各実施形態にあってはいずれもバスケット型把持鉗子に係るものであったが、この第４の実施形態では３本の把持片７１で構成する把持部７２としたものであり、その把持部７２は上記操作ワイヤ１３を押し引きすることによりシース１１の先端において開閉する。その他は前述した第１実施形態のものと同様である。
【００３３】
尚、本発明は把持鉗子のみならず、高周波スネア等の種々の内視鏡用処置具に適用可能である。
前述した説明によれば、少なくとも以下に列記する事項が得られる。
［付記］
１．体腔内に挿入される、先端に処置部を有した挿入部と、上記挿入部の手元側に設けられ、上記処置部を操作する操作部とを具備した内視鏡用処置具において、上記操作部は相対的に移動し合う第１の操作体と第２の操作体を有し、第１の操作体はその後端に、操作する手の親指を差し込むリング状の第１の指掛け部を設け、中間部に操作する手で握る握持部を形成してなり、一方、第２の操作体は操作する手の親指以外の指を掛けて把持する第２の指掛け部と、操作する手の親指を掛ける第３の指掛け部を設けてなり、第１の操作方式では操作する手の親指を第１の操作体の第１の指掛け部内に差し込んで指を掛けると共に、同じ手の親指以外の指を上記第２の操作体の第２の指掛け部に掛けながら、第１の操作体と第２の操作体を相対的に移動させる操作を行い、第２の操作方式では操作する手で第１の操作体の握持部を握ると共に、同じ手の親指を第２の操作体の第３の指掛け部に掛けて、第１の操作体と第２の操作体を相対的に移動させる操作を行うようにしたことを特徴とする内視鏡用処置具。
【００３４】
２．体腔内に挿入されるシースと、上記シース内に軸方向へ進退自在に挿入された操作ワイヤと、上記シースの手元側に設けられ、上記シースと上記操作ワイヤを相対的に上記軸方向へ移動操作する操作部と、上記操作ワイヤの先端に設けられ、上記シースの先端から突出可能で上記シースに対して進退自在であると共に上記操作部によって上記シースと上記操作ワイヤを相対的に移動することによって操作される処置部とを具備した内視鏡用処置具において、上記操作部は第１の操作体と第２の操作体を有し、一方の操作体が上記シースに接続され、他方の操作体が上記操作ワイヤに接続されると共に、第１の操作体はその後端に、操作する手の親指を差し込むリング状の第１の指掛け部を設け、中間部に操作する手で握る握持部を形成してなり、一方、第２の操作体は操作する手の親指以外の指を掛けて把持する第２の指掛け部と、操作する手の親指を掛ける第３の指掛け部を設けてなり、第１の操作方式では操作する手の親指を第１の指掛け部内に差し込んで掛けると共に、同じ手の親指以外の指を第２の指掛け部に掛けながら第１の操作体と第２の操作体を相対的に移動させる操作を行い、第２の操作方式では操作する手で第１の操作体の握持部を握ると共に、同じ手の親指を第２の操作体の第３の指掛け部に掛けて、第１の操作体と第２の操作体を相対的に移動させる操作を行うようにしたことを特徴とする内視鏡用処置具。
【００３５】
３．第２の操作体に設けた第２の指掛け部はフランジによって形成したことを特徴とする第１，２項に記載の内視鏡用処置具。
４．第２の指掛け部のフランジによって第３の指掛け部を形成したことを特徴とする第３項に記載の内視鏡用処置具。
５．第２の操作体に設けられる第２の指掛け部と第３の指掛け部は第２の指掛け部よりも第３の指掛け部が第１の操作体の握持部側に位置して設置したことを特徴とする第１，２項に記載の内視鏡用処置具。
６．第２の指掛け部は、フランジによって形成され、第３の指掛け部はそのフランジより第１の操作体の握持部側へ向けて延びるひさし部によって形成したことを特徴とする第１，２項に記載の内視鏡用処置具。
７．第１の操作体と第２の操作体の両側面部が略平坦な形状に形成され、操作部全体が略偏平な形状に構成したことを特徴とする第１，２項に記載の内視鏡用処置具。
【００３６】
８．第２の操作体に設ける第２の指掛け部をフランジによって形成し、このフランジの両側面部が略平坦な形状に切り落とし形成されたことを特徴とする第１，２，７項に記載の内視鏡用処置具。
９．第１の操作体の握持部は握る手の指を掛ける張出し部を形成してなることを特徴とする第１，２項に記載の内視鏡用処置具。
１０．張出し部の稜線が波状であることを特徴とする第９項に記載の内視鏡用処置具。
１１．張出し部が第１の操作体の本体部分より薄肉としたことを特徴とする第９項に記載の内視鏡用処置具。
【００３７】
【発明の効果】
以上説明したように本発明によれば、１つの器具でありながら、操作方式についての術者の好み、または手術の状況に応じて適合する操作方式を自由に選択して処置することが可能であり、その内視鏡用処置具の操作性を高めることもできる。
【図面の簡単な説明】
【図１】第１実施形態に係る内視鏡用把持鉗子の側面図。
【図２】第１実施形態に係る内視鏡用把持鉗子の操作部の縦断面図。
【図３】図２中、Ａ−Ａ線に沿う部分の横断面図。
【図４】図２中、Ｂ−Ｂ線に沿う部分の横断面図。
【図５】第１実施形態に係る内視鏡用把持鉗子の操作部の平面図。
【図６】第１実施形態に係る内視鏡用把持鉗子の操作部の底面図。
【図７】第１実施形態に係る内視鏡用把持鉗子の操作部の正面図。
【図８】第１実施形態に係る内視鏡用把持鉗子の操作部の後面図。
【図９】第１実施形態に係る内視鏡用把持鉗子の操作部の一操作形式の説明図。
【図１０】第１実施形態に係る内視鏡用把持鉗子の操作部の他の操作形式の説明図。
【図１１】第２実施形態に係る内視鏡用把持鉗子の側面図。
【図１２】第３実施形態に係る内視鏡用把持鉗子の操作部の縦断面図。
【図１３】第４実施形態に係る内視鏡用把持鉗子の先端部の側面図。
【図１４】従来型式の内視鏡用把持鉗子の側面図。
【符号の説明】
１０…把持鉗子、１１…シース、１２…操作部、１３…操作ワイヤ、
１４…バスケット部（処置部）、２１…操作部本体、２２…スライダ、
２３…握持部材、２４…ガイド部材、３５…指当て部、３６…握持部、
３７…指掛け部、３８…ガイド部、４８，４９…フランジ（指掛け部）、
５１…指掛け部。
【図１】
0004270595.tif 000002
【図２】
0004270595.tif 000003
【図３】
0004270595.tif 000004
【図４】
0004270595.tif 000005
【図５】
0004270595.tif 000006
【図６】
0004270595.tif 000007
【図７】
0004270595.tif 000008
【図８】
0004270595.tif 000009
【図９】
0004270595.tif 000010
【図１０】
0004270595.tif 000011
【図１１】
0004270595.tif 000012
【図１２】
0004270595.tif 000013
【図１３】
0004270595.tif 000014
【図１４】
0004270595.tif 000015